(57)【要約】【課題】デジタルカメラ等の携帯機器が蓋を閉じた状態において外観不良を来たす虞がない、防水用パッキングが損傷しにくく長期にわたり良好な防水機能を維持できる、等の利点をもつ蓋装置及びデジタルカメラを提供。【解決手段】蓋装置３０は、筺体１１に設けられた被保護部材格納室２０の開口部２１を防水用パッキング３２，２２を介して閉鎖可能に設けられた蓋３１と、この蓋３１を回動自在に軸支する軸支部３３０と、前記蓋３１が前記格納室２０の開口部２１を含む平面に沿ってスライドしながら当該開口部２１に接近して閉鎖し、またはスライドしながら当該開口部２１から離反して開放するように、前記軸支部３３０をガイドするガイド機構３４と、を備えたことを主たる特徴としている。【選択図】    図３
2005005783.tif 000002
【特許請求の範囲】
【請求項１】
筺体に設けられた被保護部材格納室の開口部を防水用パッキングを介して閉鎖可能に設けられた蓋と、
この蓋を回動自在に軸支する軸支部と、
前記蓋が前記格納室の開口部を含む平面に沿ってスライドしながら当該開口部に接近して閉鎖し、またはスライドしながら当該開口部から離反して開放するように、前記軸支部をガイドするガイド機構と、
を備えたことを特徴とする蓋装置。
【請求項２】
前記ガイド機構は、前記軸支部を当該軸支部の軸心と交差する方向へ平行移動させるものであって、上記軸支部が前記格納室における被保護部材の設置面に沿って移動するのに伴って当該設置面からの距離が所定の変化率で変化するように案内するガイド部を備えていることを特徴とする請求項１に記載の蓋装置。
【請求項３】
前記ガイド部は、一端に、前記軸支部を前記格納室の開口部より内方の隠れた箇所で保持し、前記蓋を全閉可能とする第一ポジションを有し、他端に、前記軸支部を前記格納室の開口部に近い箇所で保持し、前記蓋を全開可能とする第二ポジションを有することを特徴とする請求項２に記載の蓋装置。
【請求項４】
前記軸支部が前記第二ポジションから前記第一ポジションへ移動するときの前記蓋のスライド動作に伴って当該蓋を開放不能な状態にロックし、
前記軸支部が前記第一ポジションから前記第二ポジションへ移動するときの前記蓋のスライド動作に伴って当該蓋を開放可能な状態にアンロックするロック機構を備えたことを特徴とする請求項１又は２又は３に記載の蓋装置。
【請求項５】
前記ロック機構は、前記蓋の内面に設けられた蓋側係合部と、前記被保護部材の設置面に設けられた筺体側係合部とを係合離脱させる機構であることを特徴とする請求項４に記載の蓋装置。
【請求項６】
前記蓋は、デジタルカメラ筺体における記録媒体収納室の開口部を含む被保護部材を保護するための蓋であることを特徴とする請求項１ないし５のいずれか一つに記載の蓋装置。
【請求項７】
請求項１ないし６のいずれか一つに記載の蓋装置を備えたことを特徴とするデジタルカメラ。
【発明の詳細な説明】
【０００１】
【発明の属する技術分野】
本発明は、例えばデジタルカメラ等の携帯機器における被保護部材格納室の開口部を、防水用パッキングを介して閉鎖可能な防水型の蓋装置およびこの蓋装置を備えたデジタルカメラに関する。
【０００２】
【従来の技術】
従来のこの種の防水型の蓋装置として、デジタルカメラにおける記録媒体収納室の開口部などの被保護部材を液密に保護するために、上記開口部の近傍に回動自在に軸支された防水用パッキング付きの蓋で、上記開口部を開閉自在に閉鎖可能な如く設けられたものがある（特許文献１参照）。
【０００３】
【特許文献１】
特開平１１−８８８１８号公報（段落［００２８］、図４）
【０００４】
【発明が解決しようとする課題】
図６の（ａ）は特許文献１に示されている蓋装置の構成を単純化して示した要部の略式断面図である。図示の如く、この蓋装置は、デジタルカメラ筐体１０１における被保護部材格納室１０２の開口部を覆うように、内面に防水用パッキング１０３を装着した蓋１０４が軸支機構１０５によって回動自在に軸支されている。この蓋装置によれば、蓋１０４を閉じたとき、防水用パッキング１０３が上記格納室１０２の開口部周辺に密着するため、上記格納室１０２の内部が液密に保護される。
【０００５】
ところでこの種の防水型の蓋装置では、図示の如く蓋１０４を閉じたとき当該蓋１０４を回動自在に軸支している軸支機構１０５が筐体１０１の外部に露出する。このためデジタルカメラ等の携帯機器の外観が、上記軸支機構１０５の存在により損なわれるおそれがある。軸支機構１０５が筺体外に露出することによる外観不良をさけるには、いわゆるスライド・回動式の蓋を用いることが有効である。
【０００６】
図６の（ｂ）は、スライド・回動式の蓋の一例である。このスライド・回動式の蓋１１４を用いれば、蓋１１４を閉じたとき、軸支機構１１５が筐体１１１のスロット１１６内に入り込み、外部からは見えない状態となる。しかし上記スライド・回動式の蓋１１４を用いた場合、図６の（ｃ）に示すように、蓋１１４を格納室１１２の開口面に沿って矢印方向へスライドさせた際、防水用パッキング１１３に横方向の外力が加わる。このため防水用パッキング１１３が損傷を受け易く、防水機能が早期に失われる虞がある。
【０００７】
本発明は、このような事情に基づいてなされたものであり、その目的は、下記のような利点を有する防水型の蓋装置およびこの蓋装置を備えたデジタルカメラを提供することにある。
【０００８】
（ａ）  デジタルカメラ等の携帯機器が、蓋を閉じた状態において外観不良を来たす虞がない。
【０００９】
（ｂ）防水用パッキングが損傷しにくく、長期にわたり良好な防水機能を維持できる。
【００１０】
【課題を解決するための手段】
前記課題を解決し目的を達成するために、本発明の蓋装置およびこの蓋装置を備えたデジタルカメラは下記のような特徴ある構成を有している。なお下記以外の特徴ある構成については実施形態の中で明らかにする。
【００１１】
（１）本発明の蓋装置は、筺体に設けられた被保護部材格納室の開口部を防水用パッキングを介して閉鎖可能に設けられた蓋と、この蓋を回動自在に軸支する軸支部と、前記蓋が前記格納室の開口部を含む平面に沿ってスライドしながら当該開口部に接近して閉鎖し、またはスライドしながら当該開口部から離反して開放するように、前記軸支部をガイドするガイド機構とを備えたことを特徴としている。
【００１２】
（２）本発明のデジタルカメラは、前記（１）等に記載の蓋装置を備えたものであることを特徴としている。
【００１３】
【発明の実施の形態】
（第一実施形態）
図１は本発明の第一実施形態に係るデジタルカメラの外観を示す斜視図である。図２は上記デジタルカメラにおける蓋装置の構成を示す斜視図である。図３は図２の３−３線矢視断面図である。ただし図３は、蓋が全閉された状態を基準として図示されている。
【００１４】
図１〜図３に示すように、このデジタルカメラ１０は、前カバー１１ａと中カバー１１ｂと後カバー１１ｃとが一体的に結合された筺体１１を有している。
【００１５】
前カバー１１ａの前面部には、レンズバリア１２がガイド溝１３に案内されて図中左右方向へスライド可能な如く装着されている。このレンズバリア１２は、カメラ非使用時には、前カバー１１ａの内側に引き込まれた撮影レンズ１４の前面を覆うことにより、同撮影レンズ１４の保護を行なう。またカメラ使用時には、撮影レンズ１４の前面を開放して、同撮影レンズ１４の繰り出しを許容し、撮影動作を可能ならしめる。
【００１６】
前記中カバー１１ｂの上面部には、撮影開始を指示するレリーズボタン１５が設けられている。また前記後カバー１１ｃの背面上部にはファインダ接眼部１６が設けられている。
【００１７】
筺体１１のグリップ部側面、すなわち図中左側面のカバー部内には、記録媒体等を格納するための格納室２０が設けられている。この格納室２０の開口部２１には防水用パッキング２２が装着されている。格納室２０の内部には記録媒体収納室２３や外部機器との接続をはかる為のコネクタ部２４，２５等の被保護部Ｘが配置されている。更に後述するロック機構ＬＣの一方の構成要素である係合部２６，２７が設けられている。
【００１８】
第一実施形態では、記録媒体収納室２３はカード型のデータ記録媒体（不図示）が装填されるカードスロットであり、コネクタ部２４はビデオ信号接続プラグ（不図示）が挿着されるビデオ端子であり、コネクタ部２５はＵＳＢ接続プラグ（不図示）が挿着されるＵＢＳ端子である。
【００１９】
かくしてこのデジタルカメラ１０は、前記記録媒体収納室２３に収納されるデータ記録媒体（不図示）に、撮影画像データを記録し、かつ上記撮影画像データを前記コネクタ部２４，２５を介して入出力可能となっている。
【００２０】
上記格納室２０の開口部２１は、筺体１１の図中左側面のカバー部に設けた蓋装置３０によって閉鎖され得るものとなっている。この蓋装置３０は、蓋３１、この蓋３１の内面に取付けたゴム製の防水用パッキング３２、上記蓋３１を回動可能に軸支する軸支機構３３、この軸支機構３３をガイドするガイド機構３４、等を備えている。
【００２１】
蓋３１は、防水用パッキング３２を介して前記開口部２１を液密に閉鎖可能に設けられたものであり、その内面には後述するロック機構ＬＣの他方の構成要素である係合部３６，３７が設けられている。
【００２２】
図４は蓋装置３０における軸支機構３３およびガイド機構３４の構成を示す図で、（ａ）は分解斜視図、（ｂ）はガイド機構の上面図である。
【００２３】
軸支機構３３は、蓋３１の一端縁に所定間隔を隔てて平行に配設された一対のアーム３３１，３３２を有している。各アーム３３１，３３２の先端部には、一対の軸受け部３３３，３３４がそれぞれ設けられている。上記軸受け部３３３，３３４には、次に述べるガイド機構３４に回動自在に組み付けるためのシャフト３３５が貫挿される。上記一対の軸受け部３３３，３３４及びシャフト３３５は本発明の軸支部３３０を構成している。
【００２４】
ガイド機構３４は、コの字形に形成されたフレーム３４０の平行に対向する一対の支持部片３４１，３４２に、ガイド部Ｇとして貫通溝からなる一対のガイド溝３４３，３４４をそれぞれ設けたものとなっている。フレーム３４０の取付部片３４５には当該フレーム３４０を筐体１１の内部に例えばビス止め等の取付け手段により取付けるための取付け孔３４６ａ，３４６ｂが設けられている。
【００２５】
ガイド部Ｇは、前記軸支部３３０を、当該軸支部３３０の軸心と交差する方向へ平行移動させ得るものとなっている。そしてこのガイド部Ｇは、軸支部３３０が前記格納室２０における被保護部材Ｘの設置面Ｆに沿って移動するのに伴って、当該設置面Ｆからの距離が、所定の変化率（傾斜角θ）で変化するように案内する。
【００２６】
図３に説明を戻す。前記ガイド部Ｇは、その一端に第一ポジションＰ１を有し、その他端に第二ポジションＰ２を有している。第一ポジションＰ１は、前記軸支部３３０を前記格納室２０の開口部２１より内方の隠れた箇所で保持し、前記蓋３１を全閉可能となす。換言すれば、軸支部３３０が第一ポジションＰ１で保持されることにより、蓋３１は３１Ａの状態となり、開口部２１を全閉することが可能となる。また第二ポジションＰ２は、前記軸支部３３０を前記格納室２０の開口部２１に近い箇所で保持し、前記蓋３１を全開可能となす。換言すれば、軸支部３３０が第二ポジションＰ２で保持されることにより、蓋３１は３１Ｂの状態から３１Ｃの状態へ回動して開口部２１を全開することが可能となる。
【００２７】
このように、本実施形態の蓋装置３０は、軸支部３３０がガイド部Ｇにより案内されて第一ポジションＰ１側へ移動すると、前記蓋３１は前記格納室２０の開口部２１を含む平面に沿ってスライドしながら当該開口部２１に接近し、３１Ａの状態となって上記開口部２１を液密に閉鎖する。また軸支部３３０がガイド部Ｇにより案内されて第二ポジションＰ２側へ移動すると、前記蓋３１はスライドしながら当該開口部２１から離反し、３１Ｂの状態となって上記開口部２１を開放可能とする。
【００２８】
前記蓋３１の内面に設けられた蓋側係合部３６，３７と、前記被保護部材の設置面Ｆに設けられた筺体側係合部２６，２７とは、蓋３１のスライド動作に伴って係合又は離脱し、蓋３１のロック，アンロックを行なう。すなわち蓋側係合部３６，３７と筺体側係合部２６，２７とは、本発明のロック機構ＬＣを構成している。
【００２９】
このロック機構ＬＣは、前記軸支部３３０が前記第二ポジションＰ２から前記第一ポジションＰ１へ、図３の矢印Ｌで示す方向へ移動するときの前記蓋３１のスライド動作に伴って、当該蓋３１を開放不能な状態にロックする。また前記軸支部３３０が前記第一ポジションＰ１から前記第二ポジションＰ２へ、図３の矢印Ｕで示す方向へ移動するときの前記蓋３１のスライド動作に伴って、当該蓋３１を開放可能な状態にアンロックする。
【００３０】
次に上記の如く構成された蓋装置３０の動作を図３などを参照して説明する。
【００３１】
（ｉ）蓋３１の開動作
図３において３１Ａの状態すなわち全閉状態となっている蓋３１を開くときは、蓋３１を矢印Ｕで示す方向へスライド操作する。そうすると軸支部３３０がガイド部Ｇにより案内されて、第一ポジションＰ１から第二ポジションＰ２へ移動する。これに伴って前記蓋３１は開口部２１を含む平面に沿ってスライドしながら当該開口部２１から離反し、３１Ｂの状態となる。このとき防水用パッキング３２は防水用パッキング２２から斜め方向へ乖離するため、防水用パッキング２２，３２のいずれにも、従来のように真横方向へ力が加わるおそれはない。上記蓋３１のスライド動作に伴って、蓋側係合部３６，３７が筺体側係合部２６，２７から離脱する。このため蓋３１はアンロック状態となる。この結果、蓋３１は開口部２１を開放可能な待機状態となる。そこで蓋３１を開放操作すると、蓋３１は第二ポジションＰ２に保持されている軸支部３３０を中心に回動し、３１Ｃの状態となって全開する。
【００３２】
（ｉｉ）蓋３１の閉動作
図３において３１Ｃの状態すなわち全開状態となっている蓋３１を閉じるときは、蓋３１を開口部２１の方向へ回動操作する。そうすると、蓋３１は第二ポジションＰ２に保持されている軸支部３３０を中心に回動し、３１Ｂの状態となる。つまり蓋３１は開口部２１を閉鎖可能な待機状態となる。そこで蓋３１を矢印Ｌ方向へ移動操作すると、軸支部３３０がガイド部Ｇにより案内されて、第二ポジションＰ２から第一ポジションＰ１へ移動する。これに伴って前記蓋３１は開口部２１を含む平面に沿ってスライドしながら当該開口部２１に接近し、３１Ａの状態となる。このとき防水用パッキング３２は防水用パッキング２２に対し斜め方向から接近するため、防水用パッキング２２，３２のいずれにも、従来のように真横方向へ大きな力が加わるおそれはない。上記蓋３１のスライド動作に伴って、蓋側係合部３６，３７が筺体側係合部２６，２７に係合し、蓋３１はロック状態となる。かくして蓋３１は、開口部２１を液密に閉鎖した状態を安定に保たれる。
【００３３】
（第二実施形態）
図５の（ａ）は本発明の第二実施形態に係る蓋装置４０の構成を示す要部の略式断面図である。本実施形態が第一実施形態と異なる点は、蓋側にだけ防水用パッキング４２が装着された蓋装置４０へ本発明を適用した点である。本実施形態においても第一実施形態と略同様の作用効果を奏し得る。上記の点以外は第一実施形態と同様であるので詳しい説明は省略する。
【００３４】
（第三実施形態）
図５の（ｂ）は本発明の第三実施形態に係る蓋装置５０の構成を示す要部の略式断面図である。本実施形態が第一実施形態と異なる点は、筐体側にだけ防水用パッキング５２が装着された蓋装置５０へ本発明を適用した点である。本実施形態においても第一実施形態と略同様の作用効果を奏し得る。上記の点以外は第一実施形態と同様であるので詳しい説明は省略する。
【００３５】
（第四実施形態）
図５の（ｃ）は本発明の第四実施形態に係る蓋装置６０におけるガイド機構６４の構成を示す要部上面図である。本実施形態が第一実施形態と異なる点は、ガイド部Ｇの形状が、曲線Ｃで示すように略円弧状に形成されている点である。すなわちこのガイド部Ｇは、第一ポジションＰ１から第二ポジションＰ２へ近づくにつれ、被保護部材Ｘの設置面Ｆからの距離が、最初急峻でその後次第に緩やかな曲線を描くように形成されている点である。このような形状のガイド部Ｇを用いると、蓋６１が開口部に対し第一実施形態の場合よりも更に垂直方向から接離するものとなる。このため蓋６１のスライド動作による防水用パッキングへの悪影響がより少ないものとなる。
【００３６】
（実施形態における特徴点）
［１］実施形態に示された蓋装置３０は、
筺体１１に設けられた被保護部材格納室２０の開口部２１を防水用パッキング３２，２２を介して閉鎖可能に設けられた蓋３１と、
この蓋３１を回動自在に軸支する軸支部３３０と、
前記蓋３１が前記格納室２０の開口部２１を含む平面に沿ってスライドしながら当該開口部２１に接近して閉鎖し、またはスライドしながら当該開口部２１から離反して開放するように、前記軸支部３３０をガイドするガイド機構３４と、
を備えたことを特徴としている。
【００３７】
上記蓋装置３０においては、蓋３１をスライドさせた際、蓋３１は開口部２１に対し接近又は離反しながらスライド動作するので、防水用パッキング２２，３２等に横方向の力が殆ど加わらない。このため防水用パッキング２２，３２が損傷しにくく、長期にわたり良好な防水機能を維持できる。
【００３８】
［２］実施形態に示された蓋装置３０は、前記［１］に記載の蓋装置であって、前記ガイド機構３４は、前記軸支部３３０を当該軸支部３３０の軸心と交差する方向へ平行移動させるものであって、上記軸支部３３０が前記格納室２０における被保護部材Ｘの設置面Ｆに沿って移動するのに伴って当該設置面Ｆからの距離が所定の変化率で変化するように案内するガイド部Ｇを備えたことを特徴としている。
【００３９】
上記蓋装置３０においては、蓋３１の軸支部３３０が、ガイド部Ｇによって、設置面Ｆに沿って移動するのに伴って当該設置面Ｆからの距離が所定の変化率で変化するようにガイドされる。このため蓋３１は、開口部２１に対し、所定の度合いで接近し又は所定の度合いで離反しながらスライド動作するものとなる。
【００４０】
［３］実施形態に示された蓋装置３０は、前記［２］に記載の蓋装置であって、前記ガイド部Ｇは、一端に、前記軸支部３３０を前記格納室２０の開口部２１より内方の隠れた箇所で保持し、前記蓋３１を全閉可能とする第一ポジションＰ１を有し、他端に、前記軸支部３３０を前記格納室２０の開口部２１に近い箇所で保持し、前記蓋３１を全開可能とする第二ポジションＰ２を有することを特徴としている。
【００４１】
上記蓋装置３０においては、蓋３１が閉じられるとき、軸支部３３０は第一ポジションＰ１で保持される。従って蓋３１は全閉可能となる。このとき軸支部３３０は筐体１１の内部に隠れた状態となる。したがってデジタルカメラ等の携帯機器が、蓋３１を閉じた状態において軸支部３３０の外部露出による外観不良を来たす虞がない。また蓋３１が開かれるとき、軸支部３３０は第二ポジションＰ２で保持される。従って蓋３１は全開可能となる。
【００４２】
［４］実施形態に示された蓋装置３０は、前記［１］又は［２］又は［３］に記載の蓋装置であって、
前記軸支部３３０が前記第二ポジションＰ２から前記第一ポジションＰ１へ移動するときの前記蓋３１のスライド動作に伴って当該蓋３１を開放不能な状態にロックし、
前記軸支部３３０が前記第一ポジションＰ１から前記第二ポジションＰ２へ移動するときの前記蓋３１のスライド動作に伴って当該蓋３１を開放可能な状態にアンロックするロック機構ＬＣを備えたことを特徴としている。
【００４３】
上記蓋装置３０においては、蓋３１の開閉操作の一過程であるスライド操作が行なわれることによって、ロックおよびアンロックが行なわれる。このため蓋３１の開閉操作とは別にロック操作やアンロック操作を格別に行なう必要がなく、操作が簡便である。
【００４４】
［５］実施形態に示された蓋装置３０は、前記［４］に記載の蓋装置であって、
前記ロック機構ＬＣは、前記蓋３１の内面に設けられた蓋側係合部３６，３７と、前記被保護部材の設置面Ｆに設けられた筺体側係合部２６，２７とを係合離脱させる機構であることを特徴としている。
【００４５】
上記蓋装置３０においては、蓋側係合部３６，３７および筺体側係合部２６，２７は、蓋が閉じられた状態では外部から一切見えない。このため外観不良を招かない。
【００４６】
［６］実施形態に示された蓋装置３０は、前記前記［１］ないし［５］のいずれか一つに記載の蓋装置であって、
前記蓋３１は、デジタルカメラ筺体１１における記録媒体収納室２３の開口部を含む被保護部材Ｘを保護するための蓋であることを特徴としている。
【００４７】
［７］実施形態に示されたデジタルカメラは、
前記［１］ないし［６］のいずれか一つに記載の蓋装置３０を備えたものであることを特徴としている。
【００４８】
（変形例）
実施形態に示された蓋装置は、下記の変形例を含んでいる。
【００４９】
・ガイド溝３４３，３４４を有底のガイド溝としたもの。
【００５０】
【発明の効果】
本発明によれば、下記のような作用効果を奏する防水型の蓋装置及びこの蓋装置を備えたデジタルカメラを提供できる。
【００５１】
（ａ）  蓋を閉じたとき、軸支機構が筐体内部に隠れた状態となる。したがってデジタルカメラ等の携帯機器が、蓋を閉じた状態において外観不良を来たす虞がない。
【００５２】
（ｂ）蓋をスライドさせた際、防水用パッキングに横方向の力が殆ど加わらない。このため防水用パッキングが損傷しにくく、長期にわたり良好な防水機能を維持できる。
【図面の簡単な説明】
【図１】本発明の第一実施形態に係るデジタルカメラの外観を示す斜視図。
【図２】本発明の第一実施形態に係る蓋装置の構成を示す斜視図。
【図３】本発明の第一実施形態に係る蓋装置の構成を示す断面図。
【図４】本発明の第一実施形態に係る蓋装置における軸支機構及びガイド機構の構成を示す図で、（ａ）は分解斜視図、（ｂ）はガイド機構の上面図である。
【図５】本発明の他の実施形態を示す図で、（ａ）は第二実施形態に係る蓋装置の構成を示す要部略式断面図、（ｂ）は第三実施形態に係る蓋装置の構成を示すの要部略式断面図、（ｃ）は第四実施形態に係るガイド機構の構成を示す要部上面図。
【図６】（ａ）（ｂ）（ｃ）は従来の蓋装置の問題点を説明する為の要部略式断面図。
【符号の説明】
１１  筺体
２０  格納室
２１  開口部
２２  防水用パッキング
２３  記録媒体収納室
２４，２５  コネクタ部
２６，２７  係合部
３０  蓋装置
３１  蓋
３２  防水用パッキング
３３  軸支機構
３３０（３３１〜３３５）  軸支部
３４  ガイド機構
３６，３７  係合部
Ｇ（３４３，３４４）  ガイド部
Ｐ１  第一ポジション
Ｐ２  第二ポジション
ＬＣ  ロック機構
【図１】
2005005783.tif 000003
【図２】
2005005783.tif 000004
【図３】
2005005783.tif 000005
【図４】
2005005783.tif 000006
【図５】
2005005783.tif 000007
【図６】
2005005783.tif 000008